(57)【要約】【課題】通気性確保とプライバシー保護との両立を図る。【解決手段】多数の通気孔２ａを有するように銀糸を織成又は編成してなる可撓性のメッシュ状基材２の片面に黒色印刷層３を形成し、黒色印刷層３を屋内側に向けるとともに、メッシュ状基材２の銀色を呈する反黒色印刷層側を屋外側に向けて使用する。あるいは、多数の通気孔２０ａを有するように黒糸を織成又は編成してなる可撓性のメッシュ状基材２０の片面にＡｌ蒸着層３０を形成し、Ａｌ蒸着層３０を屋外側に向けるとともに、メッシュ状基材２０の黒色を呈する反Ａｌ蒸着層側を屋内側に向けて使用する。【選択図】　　　図２
0003098955.tif 000002
【実用新案登録請求の範囲】
【請求項１】
多数の通気孔を有するように銀糸を織成又は編成してなる可撓性のメッシュ状基材と、
該メッシュ状基材の片面に形成された黒色印刷層とで構成され、
該黒色印刷層が屋内側に向けられるとともに、上記メッシュ状基材の銀色を呈する反黒色印刷層側が屋外側に向けられて使用されることを特徴とする遮光素材。
【請求項２】
多数の通気孔を有するように黒糸を織成又は編成してなる可撓性のメッシュ状基材と、
該メッシュ状基材の片面に形成されたＡｌ蒸着層とで構成され、
該Ａｌ蒸着層が屋外側に向けられるとともに、上記メッシュ状基材の黒色を呈する反Ａｌ蒸着層側が屋内側に向けられて使用されることを特徴とする遮光素材。
【請求項３】
請求項１又は２に記載の遮光素材において、
通気孔の開口率が３０％以上５０％以下であることを特徴とする遮光素材。
【考案の詳細な説明】
【０００１】
【考案の属する技術分野】
この考案は、窓や玄関等に日除けや目隠し用として用いられる遮光素材の改良に関するものである。
【０００２】
【従来の技術】
この種の遮光素材として、多数の通気孔を有する可撓性のメッシュ状のものがあり、これを玄関のドア用ネットカーテンとしてドア開口部に取り付けることにより、夏の暑いときにドアを開放した状態で、外気を多数の通気孔から玄関内に導入して通気性を確保しつつ、直射日光が侵入しないようにして日除けするとともに、玄関の外側から内側を見え難くして住人のプライバシーを保護するようにしている。さらに、このネットカーテンによれば、日除けやプライバシー保護だけでなく、虫や埃の侵入をも防止することができる。
【０００３】
また、このような遮光素材を巻き上げ式ブラインドとしてガラス窓やガラス戸のところに取り付けることにより、上記と同様の機能を発現するようにしている。
【０００４】
しかし、かかる先行技術は、文献公知発明に係るものでないため、記載すべき先行技術文献情報はない。
【０００５】
【考案が解決しようとする課題】
ところが、上記の従来の遮光素材は、黒色系の糸を単に織成又は編成したメッシュ状の布であるため、外部から室内を見え難くしているとは言っても、室内が通気孔を通して見え、住人のプライバシーが侵害されることがある。このプライバシーを保護するために通気孔を小さくすることが考えられるが、通気性が阻害されるのであまり小さくすることができない。
【０００６】
この考案はかかる点に鑑みてなされたものであり、その目的とするところは、通気性確保とプライバシー保護との両立を図ることである。
【０００７】
【課題を解決するための手段】
上記の目的を達成するため、この考案は、遮光素材を両面で色分けしたことを特徴とする。
【０００８】
具体的には、この考案は、次のような解決手段を講じた。
【０００９】
すなわち、請求項１に記載の考案は、多数の通気孔を有するように銀糸を織成又は編成してなる可撓性のメッシュ状基材と、該メッシュ状基材の片面に形成された黒色印刷層とで構成され、該黒色印刷層が屋内側に向けられるとともに、上記メッシュ状基材の銀色を呈する反黒色印刷層側が屋外側に向けられて使用されることを特徴とする。
【００１０】
請求項２に記載の考案は、多数の通気孔を有するように黒糸を織成又は編成してなる可撓性のメッシュ状基材と、該メッシュ状基材の片面に形成されたＡｌ蒸着層とで構成され、該Ａｌ蒸着層が屋外側に向けられるとともに、上記メッシュ状基材の黒色を呈する反Ａｌ蒸着層側が屋内側に向けられて使用されることを特徴とする。
【００１１】
上記の構成により、請求項１，２に記載の考案では、遮光素材は、使用状態で屋外に面する一方の面が銀色に、屋内に面する他方の面が黒色にそれぞれ形成されていることから、直射日光が上記銀色の面で反射して通気孔からは屋内が見えず、住人のプライバシーが侵害されない。一方、屋内の住人は通気孔を通して屋外が見えるため、居ながらにして来訪者や屋外の様子が判って臨機応変な対応が可能になる。したがって、プライバシーを保護するために通気孔を必要以上に小さくしなくてよく、風通しが良くなる。また、上記遮光素材はメッシュ状であるため、日除け機能を有し、さらには虫や埃の侵入防止機能をも有する。
【００１２】
請求項３に記載の考案は、請求項１又は２に記載の考案において、通気孔の開口率が３０％以上５０％以下であることを特徴とする。
【００１３】
上記の構成により、請求項３に記載の考案では、遮光性が理想的になり、請求項１，２の効果が確実に得られる。
【００１４】
【考案の実施の形態】
以下、この考案の実施の形態について図面に基づいて説明する。
【００１５】
（実施の形態１）
図１及び図２（ａ）はこの考案の実施の形態１に係る遮光素材１を示す。図３及び図４（ａ），（ｂ）は上記遮光素材１を玄関のドア用ネットカーテンＡに適用した使用例である。
【００１６】
上記遮光素材１は、可撓性のメッシュ状基材２と、該メッシュ状基材２の片面に形成された黒色印刷層３とで構成されている。上記メッシュ状基材２は、多数の通気孔２ａを有するように例えばポリエステル繊維等からなる銀糸を織成又は編成して形成され、上記通気孔２ａの開口率は、理想的な遮光性を得るために３０％以上５０％以下に設定されている。遮光率に直すと５０％以上７０％以下である。つまり、開口率が３０％を下回ると光の透過が少なすぎて屋内が暗くなる一方、５０％を上回ると光が透過しすぎて住人のプライバシーが侵害されるからである。
【００１７】
このように構成された遮光素材１は、図３及び図４（ａ），（ｂ）に示すように、玄関のドア用ネットカーテンＡの素材として、上記黒色印刷層３が屋内側に向けられるとともに、上記メッシュ状基材２の銀色を呈する反黒色印刷層側が屋外側に向けられて使用される。図４（ａ）はドア開口部４にドア用ネットカーテンＡが取り付けられた玄関を外側から見た図であり、玄関の内側はドア用ネットカーテンＡの遮光素材１に遮られて外側からは見えない。これは、遮光素材１の銀色の面が屋外に面し、黒色の面が屋内に面していることによるものであり、このことにより、直射日光が上記銀色の面で反射して通気孔２ａからは屋内が見えず、住人のプライバシーが侵害されないのである。図４（ｂ）は玄関の内側から外側を見た図であり、屋内の住人は玄関の内側から通気孔２ａを通して外側を見ることができ、居ながらにして来訪者や屋外の様子を知ることができて臨機応変に対応することができる。したがって、プライバシーを保護するために通気孔２ａを必要以上に小さくする必要がなく、風通しを良くすることができる。また、上記遮光素材１はメッシュ状であるため、日除け機能を有し、さらには虫や埃の侵入防止機能をも有する。
【００１８】
（実施の形態２）
図２（ｂ）はこの考案の実施の形態２に係る遮光素材１０を示す。図５（ａ），（ｂ）は上記遮光素材１０を巻き上げ式ブラインドＢに適用した使用例である。
【００１９】
上記遮光素材１０は、可撓性のメッシュ状基材２０と、該メッシュ状基材２０の片面に形成されたＡｌ蒸着層３０とで構成されている。上記メッシュ状基材２０は、多数の通気孔２０ａを有するように例えばポリエステル繊維等からなる黒糸を織成又は編成して形成され、上記通気孔２０ａの開口率は、理想的な遮光性を得るために３０％以上５０％以下に設定されている。遮光率に直すと５０％以上７０％以下である。つまり、開口率が３０％を下回ると光の透過が少なすぎて屋内が暗くなる一方、５０％を上回ると光が透過しすぎて住人のプライバシーが侵害されるからである。
【００２０】
このように構成された遮光素材１０は、図５（ａ），（ｂ）に示すように、建物の内外を仕切るガラス張りの引戸５のところに取り付けられた巻き上げ式ブラインドＢの素材として、上記Ａｌ蒸着層３０が屋外側に向けられるとともに、上記メッシュ状基材２０の黒色を呈する反Ａｌ蒸着層側が屋内側に向けられて使用される。図５（ａ）は建物の内外を仕切るガラス張りの引戸５のところに巻き上げ式ブラインドＢが取り付けられた状態を屋外から見た図であり、屋内は巻き上げ式ブラインドＢの遮光素材１０に遮られて外側からは見えない。これは、遮光素材１０の銀色の面が屋外に面し、黒色の面が屋内に面していることによるものであり、このことにより、直射日光が上記銀色の面で反射して通気孔２０ａからは屋内が見えず、住人のプライバシーが侵害されないのである。図５（ｂ）は屋内から屋外を見た図であり、住人は屋内から通気孔２０ａを通して屋外を見ることができ、居ながらにして屋外の様子を知ることができて臨機応変に対応することができる。したがって、プライバシーを保護するために通気孔２０ａを必要以上に小さくする必要がなく、風通しを良くすることができる。また、上記遮光素材１０はメッシュ状であるため、日除け機能を有し、さらには虫や埃の侵入防止機能をも有する。
【００２１】
【考案の効果】
以上説明したように、請求項１，２に係る考案によれば、遮光素材の使用状態で屋外に面する面を銀色に、屋内に面する面を黒色にそれぞれ形成したので、直射日光を上記銀色の面で反射させて通気孔から屋内を見えないようにし、住人のプライバシーを保護することができる。一方、屋内の住人は通気孔を通して屋外が見えるので、居ながらにして来訪者や屋外の様子を知って臨機応変に対応することができる。したがって、プライバシーを保護するために通気孔を必要以上に小さくしなくてよいので、風通しを良くすることができる。また、上記遮光素材はメッシュ状であるため、日除け機能を有し、さらには虫や埃の侵入防止機能をも有する。
【００２２】
請求項３に係る考案によれば、通気孔の開口率を３０％以上５０％以下にしたので、遮光性を理想的にして上述の如き効果を確実に得ることができる。
【図面の簡単な説明】
【図１】この考案の実施の形態１に係る遮光素材の正面図である。
【図２】（ａ）はこの考案の実施の形態１に係る遮光素材において銀糸からなる可撓性のメッシュ状基材の片面に黒色印刷層が形成された例を示す拡大断面図であり、（ｂ）はこの考案の実施の形態２に係る遮光素材において黒糸からなる可撓性のメッシュ状基材の片面にＡｌ蒸着層が形成された例を示す拡大断面図である。
【図３】この考案の実施の形態１に係る遮光素材を玄関のドア用ネットカーテンに適用した使用例である。
【図４】（ａ）はドア開口部にドア用ネットカーテンが取り付けられた玄関を外側から見た図であり、（ｂ）は玄関の内側から外側を見た図である。
【図５】この考案の実施の形態２に係る遮光素材を巻き上げ式ブラインドに適用した使用例であり、（ａ）は屋外から屋内を見た図であり、（ｂ）は屋内から屋外を見た図である。
【符号の説明】
１，１０　　　　　　遮光素材
２，２０　　　　　　メッシュ状基材
２ａ，２０ａ　　　　通気孔
３　　　　　　　　　黒色印刷層
３０　　　　　　　　Ａｌ蒸着層
【図１】
0003098955.tif 000003
【図２】
0003098955.tif 000004
【図３】
0003098955.tif 000005
【図４】
0003098955.tif 000006
【図５】
0003098955.tif 000007